(57)【要約】      （修正有）【課題】加熱手段によって料理が可能な鍋に関するものであり、特に、鍋の上端の、蓋が覆わせた状態で蓋の上側に上向き傾斜になるようにフランジが形成された部分に別の部品（取っ手など）を使わなくて、指で把持が可能な手段を形成した料理用鍋を提供する。【解決手段】一定な料理空間を有する鍋胴体１０の上端に上向き傾斜になるように形成されるフランジ１１と該フランジ１１の下端には蓋２０が覆われる場合に蓋２０の枠２１が置かれるようにするための下敷き枠１２と該下敷き枠１２で全体的に上向き傾斜になるように延長されるフランジ１１が上向き傾斜になるように形成された状態でフランジ１１の裏面で面取りするようにした状態で指の端が密着される段顎１８と指がかかられるように段顎面１３ａを形成したものである。【選択図】図３
0003181170.tif 000002
【実用新案登録請求の範囲】
【請求項１】
一定な料理空間を有する鍋胴体１０の上端に上向き傾斜になるように形成されるフランジ１１と該フランジ１１の下端には蓋２０が覆われる場合に蓋２０の枠２１が置かれるようにするための下敷き枠１２と前記下敷き枠１２で全体的に上向き傾斜になるように延長されるフランジ１１が上向き傾斜になるように形成された状態でフランジ１１の裏面で指がかかられるようになる段顎面１３が形成された料理用鍋
【請求項２】
前記段顎面１３は、上向き傾斜になるように形成されるフランジの前面に突出されるように突出面１５を形成してフランジの裏面に形成される段顎面１３aが広くて深く形成されることを特徴とする請求項１に記載の料理用鍋
【請求項３】
前記段顎面１３、１３aの先端に係止枠１４が形成されることを特徴とする請求項１または２に記載の料理用鍋
【請求項４】
前記段顎面は、フランジが鍋胴体の両端だけで延長された状態で卵円形の形態でなされることを特徴とする請求項３に記載の料理用鍋
【請求項５】
前記段顎面１３、１３aは、段顎面を基準に鋭角でなされることを特徴とする請求項２に記載の料理用鍋
【請求項６】
前記突出面は、湾曲面でなされることを特徴とする請求項２に記載の料理用鍋。
【考案の詳細な説明】
【技術分野】
【０００１】
本考案は、加熱手段によって料理が可能な鍋に関するものであり、特に、鍋の上端、すなわち、蓋が覆わせた状態で蓋の上側に上向き傾斜になるようにフランジが形成された部分に別途の部品(取っ手など)を使わなくて、指で把持が可能な手段を形成したものである。
【背景技術】
【０００２】
現在料理が可能な鍋の大部分は、指で把持が可能にさせるために図５に示されたように鍋の胴１００に別途の取っ手２００を形成するか、または図６に示されたように鍋の胴１００とほとんど直角で離れるフランジ１１０を形成するようにするか、または図７に示されたようにフランジ１１０を鍋の胴の上端で上向きされながら、必ず下向き傾斜になるように形成するようにした後、下向き傾斜になった部分に指をかけて把持が可能にさせるか、または図８に示されたように上向き傾斜になった部分の外側で別途の取っ手２００を付着して把持が可能にさせているものである。
また、現在の料理用鍋が機能的な部分はもちろんデザイン的な部分も販売に相当な影響を及ぼすという点を勘案すれば、料理用鍋に別途の取っ手を付着する形状に対しては保管の面積を多く占めるようになるという短所はもちろん、このような取っ手が形成された部分に各種異物が付け出すようになることで、長期的に使用時このような部分の異物による非衛生的な部分が発生する。
したがって、図６と図７に別途の取っ手を形成しないものが提案されているが、このようなものの短所が普遍的な形状であるために、デザイン的な部分がなく販売の増進を期待することができない。
したがって、図９に示されたように最近フランジ１１０を上向き傾斜になるように突出された状態で形成することでデザイン的に優秀で、前記上向き傾斜になったフランジ１１０の両端に貫通された開口部１２０を形成して別途の取っ手がないながらも指で把持が可能なものが提案されているが、このようなものの問題点は指に把持した状態である一側の指が抜けるか、または逃すようになる場合に把持されている指が折れるなどの問題点が発生する。
また、このようなものなどが大部分料理用であるために、鋳物やまたは石やまたはアルミニウムで製造されたものなどであるために重量が大きいことによって深刻な負傷の憂慮が存在する。
また、材質が鋳物であるか、またはアルミニウムの場合には、鍋の内側面や外側面に粉体による塗装をするようになるが、内側と外側の粉体が原価低減や衛生状態を考慮してお互いに異なる塗装で粉体作業をするために、粉体時に取っ手に形成された貫通された開口部に別途の栓を形成しない場合には塗装がお互いにまじるようになることにより、品質の低下を持って来るようになることで、このような防止のために作業に難しさが存在する。
【考案の概要】
【考案が解決しようとする課題】
【０００３】
したがって、本考案はこのような問題点を解決するためのものであり、粉体作業を容易にしながらも使用途中にある一側の指が落ちる場合にも指の負傷がないようにしたものであり、また、指の把持面を広く、かつ深く形成するようにすることで、指の把持を優秀にさせたものである。
【課題を解決するための手段】
【０００４】
これのために鍋胴体の上端に上向き傾斜になるように形成されるフランジの裏面に面取りによって段顎面を対応される両端に指の把持が可能に形成したものであり、また、このような段顎面を深く、かつ広く形成して、指の把持を優秀にさせるために上向き傾斜になるように形成されたフランジの前面で突出面を形成することで、指の把持力を優秀にさせることで多くの荷重がかかる場合にも指の把持が容易にしたものである。
【考案の効果】
【０００５】
したがって、料理用鍋のフランジが上向き傾斜になるように形成されることで、デザイン的に優秀でありながらも、前記傾斜になるように形成されたフランジの裏面に段顎面のみを形成することで、簡単に指の把持が容易になることで、前記段顎面を深く、かつ広く形成することで、多くの荷重にも指で簡単に把持が可能になるものである。
【図面の簡単な説明】
【０００６】
【図１】本考案の一実施例のフランジを示した断面図である。
【図２】本考案のまた他の実施例の外観斜視図である。
【図３】本考案の段顎面を深く、かつ広く形成した状態の断面図である。
【図４】図４及び図４aは本考案の段顎面の構成実施状態図である。
【図４ａ】同じく、本考案の段顎面の構成実施状態図である。
【図５】従来の鍋の胴体に取っ手が形成された部分である。
【図６】従来のフランジに指係止部を形成した部分である。
【図７】同じく、従来のフランジに指係止部を形成した部分である。
【図８】従来のフランジが上向き傾斜になった部分に別途の取っ手が形成された部分である。
【図９】従来のフランジが上向き傾斜になった部分に指が差し込まれるようにするために開口された部分である。
【考案を実施するための形態】
【０００７】
以下、添付図面に基づいて本考案を詳しく説明すれば次のようである。
図１に示されたように本考案の構成は、一定な料理空間を有する鍋胴体１０の上端に上向き傾斜になるように形成されるフランジ１１と該フランジ１１の下端には蓋２０が覆われる場合に蓋２０の枠２１が置かれるようにするための下敷き枠１２と該下敷き枠１２で全体的に上向き傾斜になるように延長されるフランジ１１が上向き傾斜になるように形成された状態でフランジ１１の裏面で面取りするようにした状態で指の端が密着される段顎１８と指がかかられるように段顎面１３を形成したものである。
この時、フランジ１１の肉厚さのみを指が安定的にかかられることができるように厚く形成して面取りするようにすることで段顎面１３の幅を調節可能になるものである。
したがって、前記段顎１８と段顎面１３によってフランジが上向き傾斜になる場合にも別途の取っ手がなくても簡単に指を利用して、鍋を持ち上げて移動が可能になるものである。
この時、段顎面１３が形成された先端では、係止枠１４を突出されるように形成することでかかられた指の滑りを防止できるようにしたものである。
また、前記段顎面１３をフランジの裏面に単純な面取りだけで形成する場合に指の太さや使用者の使用形態によって把持が困る場合を解消するために指の把持力を大きくして把持力を優秀にさせるために段顎面１３aを深く形成するためには上向き傾斜になるように形成されるフランジ１１の前面に前方に突出される突出面１５で形成することで、フランジの裏面で形成される段顎面１３aを深く、かつ広く形成することで指の把持を優秀にするものである。
この時にも段顎面１３aの先端では係止枠１４を突出形成することで、係止をより優秀にさせるものである。
また、前記段顎面１３aが深く形成される場合に発生する突出面１５が段顎１８によってフランジ１１の上面に前方で角になった形態で突出される場合に、突出面１５の上面を湾曲されるように湾曲面１５aで形成することで露出した前方では柔軟な曲線を形成することで料理時に発生する水分の垂れ下ろしとデザインを多様にすることができるものである。
また、指の把持のために形成される段顎面１３、１３aにすべりを防止するためにナーリング部１６を形成するか、または小凸条１７を多数個形成することで滑りを防止するようになるものである。
また、このようなものなどはすべてアルミニウムをダイキャスティングで成形するようにする場合にも成形が容易になるものであり、このような段顎面１３、１３aが指の把持を優秀にさせるために前記段顎面１３、１３aが形成された水平を基準に鋭角で傾斜になるように形成する場合にもダイキャスティングで成形が可能でありながらも、より優秀な指の把持が可能になるものである。
【符号の説明】
【０００８】
１０  鍋胴体
１１  フランジ
１２  下敷き枠
１３、１３a  段顎面
１４  係止枠
１５  突出面
１５a  湾曲面
１６  ナーリング部
１７  小凸条
１８  段顎
２０  蓋
２１  枠
【図１】
0003181170.tif 000003
【図２】
0003181170.tif 000004
【図３】
0003181170.tif 000005
【図４】
0003181170.tif 000006
【図４ａ】
0003181170.tif 000007
【図５】
0003181170.tif 000008
【図６】
0003181170.tif 000009
【図７】
0003181170.tif 000010
【図８】
0003181170.tif 000011
【図９】
0003181170.tif 000012